(57)【要約】【課題】脚の位置に関わらず自動販売機の据付作業を容易に行うことのできる自動販売機の免震装置を提供する。【解決手段】載置部材２０には複数の取付孔２０ａが設けられ、各取付孔２０ａは互いに自動販売機１の前後方向に所定間隔Ｌをおいて並ぶように配置されているので、各脚２，３に応じた位置に配置された取付孔２０ａに各取付ボルト２１を螺合させることにより、自動販売機１の各脚２，３を載置部材２０に固定することができる。従って、各脚２，３の位置に関わらず自動販売機１の据付作業を容易に行うことができ、自動販売機１の据付けに要する時間を短縮する上で極めて有利である。【選択図】図３
2007257151.tif 000002
【特許請求の範囲】
【請求項１】
自動販売機の前面側の脚及び背面側の脚を載置可能な平面部を有する載置部材と、載置部材を前後方向に移動可能に支持する支持機構とを備え、自動販売機の各脚にそれぞれ上方から取付部材を係止させるとともに、各取付部材を取付ボルトによってそれぞれ載置部材の平面部に固定することにより、自動販売機を載置部材上に据付けるようにした自動販売機の免震装置において、
前記載置部材の平面部に、互いに自動販売機の前後方向に所定間隔をおいて配列され、それぞれ取付ボルトと螺合可能な複数の取付孔を設けた
ことを特徴とする自動販売機の免震装置。
【請求項２】
前記取付部材に取付ボルトが挿通する長孔を設け、
前記所定間隔を長孔内における取付ボルトの移動可能範囲よりも小さく設定した
ことを特徴とする請求項１記載の自動販売機の免震装置。
【発明の詳細な説明】
【技術分野】
【０００１】
本発明は、飲料等を販売する自動販売機を免震支持するための自動販売機の免震装置に関するものである。
【背景技術】
【０００２】
従来、この種の免震装置としては、自動販売機の前面側の脚及び背面側の脚を載置可能な平面部を有する載置部材と、載置部材を前後方向に移動可能に支持する支持機構とを備え、自動販売機の各脚にそれぞれ上方からＪＩＳＢ８５６２に規定されている取付金具を係止させるとともに、各取付金具をそれぞれ取付ボルトによって載置部材の平面部に固定することにより、自動販売機を載置部材上に据付けるようにしたものが知られている（例えば、特許文献１参照。）。
【特許文献１】特開２００６−３１１１９号公報
【発明の開示】
【発明が解決しようとする課題】
【０００３】
しかしながら、前記免震装置では、自動販売機の脚の位置は自動販売機の仕様によって異なり、自動販売機を据付けるためには脚の位置に応じて取付ボルト用の取付孔を載置部材に設ける必要があるので、自動販売機の仕様ごとに取付孔を設ける分だけ自動販売機の据付作業に手間がかかるという問題点があった。
【０００４】
本発明は前記問題点に鑑みてなされたものであり、その目的とするところは、脚の位置に関わらず自動販売機の据付作業を容易に行うことのできる自動販売機の免震装置を提供することにある。
【課題を解決するための手段】
【０００５】
本発明は前記目的を達成するために、自動販売機の前面側の脚及び背面側の脚を載置可能な平面部を有する載置部材と、載置部材を前後方向に移動可能に支持する支持機構とを備え、自動販売機の各脚にそれぞれ上方から取付部材を係止させるとともに、各取付部材を取付ボルトによってそれぞれ載置部材の平面部に固定することにより、自動販売機を載置部材上に据付けるようにした自動販売機の免震装置において、前記載置部材の平面部に、互いに自動販売機の前後方向に所定間隔をおいて配列され、それぞれ取付ボルトと螺合可能な複数の取付孔を設けている。
【０００６】
これにより、載置部材の平面部には取付ボルトと螺合可能な複数の取付孔が設けられ、各取付孔は互いに自動販売機の前後方向に所定間隔をおいて配列されていることから、自動販売機の各脚に応じた位置に配置された取付孔に取付ボルトを螺合させることにより、自動販売機の各脚が載置部材に固定される。
【発明の効果】
【０００７】
本発明によれば、自動販売機の各脚に応じた位置に配置された取付孔に取付ボルトを螺合させることにより、自動販売機の各脚を載置部材に固定することができるので、脚の位置に関わらず自動販売機の据付作業を容易に行うことができ、自動販売機の据付けに要する時間を短縮する上で極めて有利である。
【発明を実施するための最良の形態】
【０００８】
図１乃至図８は本発明の一実施形態を示すもので、図１は免震装置によって支持された状態の自動販売機の斜視図、図２は自動販売機を支持している状態の免震装置の斜視図、図３は免震装置の斜視図、図４は免震装置の側面断面図、図５は取付部材の斜視図、図６は取付部材の取付方法を示す図、図７及び図８は取付部材の取付位置を例示する図である。
【０００９】
この自動販売機の免震装置は、自動販売機１の前面側の前脚２及び背面側の後後脚３を載置可能に形成された載置部材２０と、載置部材２０を前後方向に移動可能に支持する支持機構３０と、各脚２，３にそれぞれ上方から係止する取付部材４０とを備えている。また。自動販売機１は、前面を開口した自動販売機本体４と、自動販売機本体４の前面の開口部を開閉する外扉５と、複数の商品サンプルＡを展示する展示室６と、周知の硬貨投入口７、紙幣投入口８、硬貨返却口９及び商品取出口１０とを備えている。
【００１０】
前脚２は、自動販売機本体４の底面に下方から螺合しているボルト部２ａと、ボルト部２ａの下端に設けられた断面六角形の頭部２ｂと、頭部２ｂの下側に設けられ、頭部２ｂよりも大きな外径を有する円板状の係止部２ｃとを有する。ボルト部２ａ、頭部２ｂ及び係止部２ｃは鍛造によって一体に成形されている。後脚３は前脚２と同様の構成である。
【００１１】
載置部材２０の上面は平面状に形成されるとともに、載置部材２０の上面は自動販売機１の各脚２，３を載置可能に形成されている。載置部材２０の上面には複数の取付孔２０ａが設けられ、取付ボルト２１は各取付孔２０ａにそれぞれ螺合可能である。各取付孔２０ａのうち２つの取付孔２０ａは自動販売機１の前面側に配置され、その２つの取付孔２０ａは互いに自動販売機１の前後方向に所定間隔Ｌをおいて並ぶように配置されている。他の各取付孔２０ａは自動販売機１の背面側に配置され、他の各取付孔２０ａは互いに自動販売機１の前後方向に所定間隔Ｌをおいて並ぶように配置されている。載置部材２０の下面には２つのローラ２２が取付けられ、各ローラ２２は自動販売機１の前後方向に回転可能である。また、各ローラ２２は互いに自動販売機１の前後方向に間隔をおいて配置されている。
【００１２】
支持機構３０は、自動販売機１の前後方向に延びるように設けられたベース３１と、ベース３１における自動販売機１の前面側に固定されている第１ローラ支持部材３２と、ベース３１における自動販売機１の背面側に固定されている第２ローラ支持部材３３とを備えている。
【００１３】
ベース３１は上面が開口するように形成された断面略Ｃ型の部材から成り、所定の設置位置に固定されている。
【００１４】
第１ローラ支持部材３２の上面には第１傾斜面３２ａ及び第２傾斜面３２ｂが形成され、第１傾斜面３２ａは自動販売機１の前面側から背面側に向かって下方に傾斜しており、第２傾斜面３２ｂは自動販売機１の背面側から前面側に向かって下方に傾斜している。また、第１傾斜面３２ａは第２傾斜面３２ｂよりも自動販売機１の前面側に設けられ、第１傾斜面３２ａの背面側は第２傾斜面３２ｂの前面側と連続するように形成されている。各ローラ２２のうち自動販売機１の前面側に配置されているローラ２２が各傾斜面３２ａ，３２ｂによって支持されている。即ち、載置部材２０に自動販売機１の各脚２，３を載置すると、各傾斜面３２ａ，３２ｂに支持されているローラ２２は自動販売機１及び載置部材２０の自重によって自動販売機１の前後方向所定位置に案内される。
【００１５】
第２ローラ支持部材３３の上面は傾斜の無い平面状に形成されている。各ローラ２２のうち自動販売機本体１の背面側に配置されているローラ２２が第２ローラ支持部材３３の上面によって支持されている。
【００１６】
各取付部材４０はＪＩＳＢ８５６２に規定されている周知の取付金具である。取付部材４０の一端側にはスリット孔４０ａが設けられ、取付部材４０の略中央部には長孔４０ｂが設けられている。前脚２を構成する頭部２ｂはスリット孔４０ａを挿通可能であり、スリット孔４０ａは係止部２ｃに上方から係止可能である。取付ボルト２１のネジ部２１ａは長孔４０ｂを挿通可能であり、ボルト２１の頭部２１ｂは長孔４０ｂに上方から係止可能である。
【００１７】
以上のように構成された自動販売機の免震装置は、例えば１つの自動販売機１を据付けるために２つずつ用いられる。この場合、各免震装置は自動販売機１の幅方向両端の下側にそれぞれ配置され、それぞれ１つの前脚２及び１つの後脚３を支持する。詳しくは、前脚２は載置部材２０における自動販売機１の前面側に載置され、後脚３は載置部材２０における自動販売機１の背面側に載置される。また、各脚２，３にはそれぞれ取付部材４０のスリット孔４０ａが上方から係止し、各取付部材４０の長孔４０ｂにはそれぞれ取付ボルト２１が挿通する。載置部材２０には複数の取付孔２０ａが設けられ、各取付孔２０ａは互いに自動販売機１の前後方向に所定間隔Ｌをおいて並ぶように配置されているので、各脚２，３に応じた位置に配置された取付孔２０ａに各取付ボルト２１を螺合させることにより、自動販売機１の各脚２，３が載置部材２０に固定される。
【００１８】
ここで、各脚２，３の位置は自動販売機１の仕様によって自動販売機１の前後方向に異なる。しかし、各取付孔２０ａの所定間隔Ｌを取付部材４０の長孔４０ｂ内における取付ボルト２１の移動可能範囲よりも小さく設定することにより、各脚２，３が自動販売機１の前後方向のいかなる位置に設けられても、自動販売機１の各脚２，３を載置部材２０に固定することができる（図７参照）。
【００１９】
また、自動販売機１の各脚２，３の位置が互いに自動販売機１の幅方向にずれている場合は、取付部材４０を自動販売機１の幅方向に回転させて取付けることにより、自動販売機１の各脚２，３を載置部材２０に固定することができる（図８参照）。
【００２０】
一方、載置部材２０には２つのローラ２２が設けられ、各ローラ２２はそれぞれ第１ローラ支持部材３２及び第２ローラ支持部材３３によって支持されている。ここで、第１ローラ支持部材３２に支持されているローラ２２は自動販売機１及び載置部材２０の自重によって自動販売機１の前後方向所定位置に案内される。このため、据付けられた自動販売機１は通常は前後方向に移動しない。しかし、地震等によって設置面が自動販売機１の前後方向に揺れると、載置部材２０が支持機構３０に対して自動販売機１の前後方向に移動する。また、第１ローラ支持部材３２に支持されているローラ２２は各傾斜面３２ａ，３２ｂ上を移動し、自動販売機１の前面側が持ち上げられる。これにより、自動販売機１に伝達される揺れが低減されるとともに、自動販売機１の前面側への転倒が防止される。
【００２１】
このように、本実施形態によれば、載置部材２０には複数の取付孔２０ａが設けられ、各取付孔２０ａは互いに自動販売機１の前後方向に所定間隔Ｌをおいて並ぶように配置されているので、各脚２，３に応じた位置に配置された取付孔２０ａに各取付ボルト２１を螺合させることにより、自動販売機１の各脚２，３を載置部材２０に固定することができる。従って、各脚２，３の位置に関わらず自動販売機１の据付作業を容易に行うことができ、自動販売機１の据付けに要する時間を短縮する上で極めて有利である。
【００２２】
また、取付部材４０には取付ボルト２１のネジ部２１ａを挿通可能な長孔４０ａが設けられ、一方、載置部材２０の各取付孔２０ａの所定間隔Ｌを長孔４０ｂ内における取付ボルト２１の移動可能範囲よりも小さく設定したので、各脚２，３が自動販売機１の前後方向のいかなる位置に設けられても、自動販売機１の各脚２，３を載置部材２０に固定することができ、あらゆる仕様の自動販売機１に対応することができる。
【００２３】
尚、本実施形態では、自動販売機１の各脚２，３を載置部材２０に載置するとともに、載置部材２０を支持機構３０によって前後方向に移動可能に支持したものを示したが、図９及び図１０に示すように、載置部材２０の代わりに載置部材５０を用いるとともに、支持機構３０の代わりに支持機構６０を用いることも可能である。
【００２４】
載置部材５０の上面は平面状に形成されるとともに、載置部材５０の上面は自動販売機１の各脚２，３を載置可能に形成されている。載置部材５０の上面には複数の取付孔５０ａが設けられ、取付ボルト２１は各取付孔５０ａにそれぞれ螺合可能である。各取付孔５０ａのうち２つの取付孔５０ａは自動販売機１の前面側に配置され、その２つの取付孔５０ａは互いに自動販売機１の前後方向に所定間隔Ｌをおいて並ぶように配置されている。他の各取付孔５０ａは自動販売機１の背面側に配置され、他の各取付孔５０ａは互いに自動販売機１の前後方向に所定間隔Ｌをおいて並ぶように配置されている。
【００２５】
載置部材５０の下面には第１ローラ５１が取付けられ、第１ローラ５１は自動販売機１の前後方向に回転可能である。第１ローラ５１は自動販売機１の背面側に配置され、下記する第１ベース６１に上方から当接している。また、載置部材５０の下面には角柱状の当接部材５２が設けられ、当接部材５２は自動販売機１の前後方向に延在している。さらに、載置部材５０の下面には係止部材５３が設けられ、係止部材５３は自動販売機１の前面側に設けられている。
【００２６】
支持機構６０は、自動販売機１の前後方向に延びるように設けられた第１ベース６１と、第１ベース６１における自動販売機１の前面側に固定されている平板状の第２ベース６２と、第２ベース６２における自動販売機１の前面側に固定されている傾斜部材６３と、傾斜部材６３よりも自動販売機１の背面側に配置され、第２ベース６２に固定されている第１ストッパー６４と、第２ベース６２における自動販売機１の背面側に固定されている第２ストッパー６５とを備えている。
【００２７】
第１ベース６１は上面が開口するように形成された断面略Ｃ字型の部材から成り、所定の設置位置に固定されている。
【００２８】
傾斜部材６３の上面には自動販売機１の前面側から背面側に向かって下方に傾斜する傾斜面６３ａが設けられ、傾斜面６３ａには上方から円柱状に形成された第２ローラ６６が当接している。第２ローラ６６には周方向に延びる溝６６ａが設けられ、溝６６ａは傾斜部材６３と自動販売機１の幅方向に係合している。第２ローラ６６には上方から載置部材５０の当接部材５２が当接している。また、第２ローラ６６が傾斜面６３ａに沿って下ると、第１ストッパー６４が第２ローラ６６に自動販売機１の背面側から係止する。即ち、載置部材５０に自動販売機１の各脚２，３を載置すると、第２ローラ６６は自動販売機１及び載置部材５０の自重によって第１ストッパー６４と係止する前後方向所定位置に案内される。一方、傾斜部材６３における自動販売機１の前面側には係止部６３ｂが設けられ、係止部６３ｂは傾斜部材６３上を自動販売機１の前面側に移動する第２ローラ６６に自動販売機１の前面側から係止する。
【００２９】
第２ストッパー６５には当接部材５２の下面に固定された係止部材５２ａが自動販売機１の前面側から係止している。これにより、支持機構６０に対する載置部材５０の自動販売機１の背面側への移動が規制される。仮に第２ストッパー６５または係止部材５２ａの破損等により、前記の規制が解除された場合でも、載置部材５０に設けられた係止部材５３が傾斜部材６３に自動販売機１の前面側から係止し、指示機構６０に対する載置部材５０の自動販売機１の背面側への移動が規制される。
【００３０】
また、第２ストッパー６５には当接部材５２の下面に設けられた係止面５２ｂが自動販売機１の背面側から係止可能である。これにより、支持機構６０に対する載置部材５０の自動販売機１の前面側への移動が規制される。
【００３１】
このように構成された載置部材５０及び支持機構６０において、載置部材５０に自動販売機１の各脚２，３を載置すると、第２ローラ６６が自動販売機１及び載置部材５０の自重によってストッパー６４と係止する前後方向所定位置に案内される。これにより、自動販売機１は通常の状態では前後方向に移動しない。一方、地震等によって設置面が自動販売機１の前後方向に揺れると、載置部材５０が支持機構６０に対して自動販売機１の前後方向に移動する。また、第２ローラ６６は傾斜面６３ａ上を移動し、自動販売機１が前面側に移動すると、自動販売機１の前面側が持ち上げられる。これにより、自動販売機１に伝達される揺れが低減されるとともに、自動販売機１の前面側への転倒が防止される。
【００３２】
また、載置部材５０には複数の取付孔５０ａが設けられ、各取付孔５０ａは互いに自動販売機１の前後方向に所定間隔Ｌをおいて並ぶように配置されているので、各脚２，３に応じた位置に配置された取付孔５０ａに各取付ボルト２１を螺合させることにより、自動販売機１の各脚２，３を載置部材５０に固定することができる。従って、各脚２，３の位置に関わらず自動販売機１の据付作業を容易に行うことができ、自動販売機１の据付けに要する時間を短縮する上で極めて有利である。
【図面の簡単な説明】
【００３３】
【図１】本発明の一実施形態を示す免震装置によって支持された状態の自動販売機の斜視図
【図２】自動販売機を支持している状態の免震装置の斜視図
【図３】免震装置の斜視図
【図４】免震装置の側面断面図
【図５】取付部材の斜視図
【図６】取付部材の取付方法を示す図
【図７】取付部材の取付位置を例示する図
【図８】取付部材の取付位置を例示する図
【図９】載置部材及び支持機構の変形例を示す免振装置の側面断面図
【図１０】載置部材及び支持機構の変形例を示す免振装置の要部斜視図
【符号の説明】
【００３４】
１…自動販売機、２…前脚、３…後脚、４…自動販売機本体、５…外扉、６…展示室、７…硬貨投入口、８…紙幣投入口、９…硬貨返却口、１０…商品取出口、２０…載置部材、２０ａ…取付孔、２１…取付ボルト、２１ａ…ネジ部、２１ｂ…頭部、２２…ローラ、３０…支持機構、３１…ベース、３２…第１ローラ支持部材、３２ａ…第１傾斜面、３２ｂ…第２傾斜面、３３…第２ロータ支持部材、４０…取付部材、４０ａ…スリット孔、４０ｂ…長孔、５０…載置部材、５０ａ…取付孔、５１…第１ローラ、５２…当接部材、５２ａ…係止部材、５２ｂ…係止面、５３…係止部材、６０…支持機構、６１…第１ベース、６２…第２ベース、６３…傾斜部材、６３ａ…傾斜面、６３ｂ…係止部、６４…第１ストッパー、６５…第２ストッパー、６６…第２ローラ、Ａ…商品サンプル。
【図１】
2007257151.tif 000003
【図２】
2007257151.tif 000004
【図３】
2007257151.tif 000005
【図４】
2007257151.tif 000006
【図５】
2007257151.tif 000007
【図６】
2007257151.tif 000008
【図７】
2007257151.tif 000009
【図８】
2007257151.tif 000010
【図９】
2007257151.tif 000011
【図１０】
2007257151.tif 000012